(57)【特許請求の範囲】
【請求項１】
画像を表示する画像表示装置であって、
前記画像を表示する表示部と、
少なくとも画像データを記憶する記憶部と、
該記憶部に記憶された画像データのうち、全体画像と該全体画像の一部に対応する部分画像の関係にある画像データを検出し、前記全体画像の画像データと前記部分画像の画像データとの間の対応関係を示す対応データを生成し、前記記憶部に記憶する対応データ生成部と、
前記記憶部に記憶された前記対応データに基づいて、前記全体画像の画像データと前記部分画像の画像データとを選択し、該全体画像の画像データ、および、該部分画像の画像データに基づいて、該全体画像と一緒に該部分画像を前記表示部に表示させる表示制御部と、を備え、
該表示制御部は、前記全体画像の一部と前記部分画像との間の対応関係を示す対応情報を、該全体画像および該部分画像と一緒に前記表示部に表示させることを特徴とする画像表示装置。
【請求項２】
前記表示制御部は、前記部分画像が他の部分画像の一部である場合に、前記部分画像と前記他の部分画像との間の対応関係を示す対応情報を、前記全体画像、前記部分画像、および、前記他の部分画像と一緒に前記表示部に表示させることを特徴とする請求項１に記載の画像表示装置。
【請求項３】
前記表示制御部は、前記全体画像中の領域がユーザにより選択され、該領域に対応する部分画像が前記表示部に表示されている場合に、該領域に対応する部分画像を示す対応情報を前記表示部に表示させることを特徴とする請求項２に記載の画像表示装置。
【請求項４】
前記表示制御部は、前記ユーザからの指示を受け付けた場合に、前記全体画像および部分画像の表示位置または表示サイズを変更することを特徴とする請求項１〜３のいずれか１項に記載の画像表示装置。
【請求項５】
前記表示制御部は、前記全体画像の表示指示をユーザから受け付けた場合に、該全体画像の一部に対応する前記部分画像の画像データを検索し、検索の結果得られた部分画像の画像データに基づいて、該部分画像を前記全体画像と一緒に前記表示部に表示させることを特徴とする請求項１〜４のいずれか１項に記載の画像表示装置。
【請求項６】
前記表示制御部は、前記部分画像の表示指示をユーザから受け付けた場合に、該部分画像に一部が対応する前記全体画像の画像データを検索し、検索の結果得られた全体画像の画像データに基づいて、該全体画像を前記部分画像と一緒に前記表示部に表示させることを特徴とする請求項１〜５のいずれか１項に記載の画像表示装置。
【請求項７】
前記表示制御部は、前記部分画像に一部が対応する複数の全体画像の画像データがある場合に、該複数の全体画像の画像データに基づいて、該複数の全体画像を前記表示部に表示させることを特徴とする請求項６に記載の画像表示装置。
【請求項８】
前記表示制御部は、前記部分画像に一部が対応する複数の全体画像の画像データがある場合に、ユーザにより選択された全体画像の画像データに基づいて、該全体画像を前記表示部に表示させることを特徴とする請求項６に記載の画像表示装置。
【発明の詳細な説明】
【技術分野】
【０００１】
本発明は、画像を表示する画像表示装置に関し、例えば、スマートフォンやタブレットＰＣ、パーソナルコンピュータなどの画像表示装置に関する。
【背景技術】
【０００２】
近年、記憶容量が大きいメモリを搭載したデジタルカメラの普及により、枚数をあまり気にせず写真を撮ることが可能となっている。例えば、絵画の写真を撮る場合、絵画の全体を撮影するのに加えて、絵画の一部を拡大して撮影することなども気軽に行われるようになっている。
【０００３】
例えば、絵画全体を撮影することは、作品全体の雰囲気を記録するために重要であるが、絵画の一部を撮影することは、作品全体がどのようにして成り立っているのかを把握したい場合に重要である。また、絵画の一部を撮影することには、絵画の質感を記録に残すためという目的もある。
【０００４】
ここで、絵画の質感とは、紙の質感（紙の毛羽立ちや表面のざらつきなど）、画材の質感（絵具の重なり具合、絵具の透け具合（溶け具合）、絵具の盛り上がりなど）のことである。絵画の質感を記録に残すことは、絵画制作者の制作工程（絵画をどの部分からどのような順序で描いたのか、絵画を描くのにどのような道具、画材を用いたのか）などを推測するのに大いに役立つ。
【０００５】
撮影した写真の数が少ない場合、全体写真とその一部の写真との対応関係を把握することは比較的容易である。しかし、撮影した写真の数が多くなってくると、その対応関係を把握することが難しくなり、全体写真の一部に対応する写真を探すのに手間がかかるようになる。
【０００６】
また、絵画などを拡大して撮影した場合、もとの絵画とは全く別のものを撮影しているように感じる場合がある。このような場合、拡大して撮影したものを後で見たときに、何を拡大して撮影した写真かを思い出すことが困難になる。
【０００７】
また、絵画の一部を非常に大きく拡大して撮影した場合、撮影された写真は絵画全体のほんの一部であるため、その部分が絵画全体のどの部分かを確認することが困難になる。特に、スマートフォンやタブレットＰＣでは、カメラの高解像度化が進んでいるものの、ディスプレイの大きさはそれほど大きくないため、上記確認が困難となる。
【０００８】
特許文献１には、全体画像と、全体画像の一部を拡大したズーム画像がある場合に、全体画像のズーム画像に対応する位置にクリッカブルマップを表示し、その位置がポインタなどでクリックされた場合にズーム画像を画面一面に拡大表示するようにした電子スチルカメラが開示されている。この技術により、全体画像に関連するズーム画像を探す手間を省くことができる。
【先行技術文献】
【特許文献】
【０００９】
【特許文献１】特開２０００−２１７０２２号公報
【発明の概要】
【発明が解決しようとする課題】
【００１０】
しかしながら、特許文献１の従来技術では、一画面には１つの画像しか表示されないため、全体画像の一部に対応する部分画像が全部でいくつあるのか、また、他にどのような部分画像が存在するかをユーザが把握しにくいという問題がある。
【００１１】
本発明は、上記実情に鑑み、全体画像の一部に対応する部分画像が全部でいくつあるのか、また、他にどのような部分画像が存在するかをユーザが容易に把握できるようにする画像表示装置を提供することを目的とする。
【課題を解決するための手段】
【００１２】
上記課題を解決する為に、本発明の第１の技術手段は、画像を表示する画像表示装置であって、前記画像を表示する表示部と、少なくとも画像データを記憶する記憶部と、該記憶部に記憶された画像データのうち、全体画像と該全体画像の一部に対応する部分画像の関係にある画像データを検出し、前記全体画像の画像データと前記部分画像の画像データとの間の対応関係を示す対応データを生成し、前記記憶部に記憶する対応データ生成部と、前記記憶部に記憶された前記対応データに基づいて、前記全体画像の画像データと前記部分画像の画像データとを選択し、該全体画像の画像データ、および、該部分画像の画像データに基づいて、該全体画像と一緒に該部分画像を前記表示部に表示させる表示制御部と、を備え、該表示制御部は、前記全体画像の一部と前記部分画像との間の対応関係を示す対応情報を、該全体画像および該部分画像と一緒に前記表示部に表示させることを特徴とする。
【００１５】
本発明の第２の技術手段は、第１の技術手段において、前記表示制御部は、前記部分画像が他の部分画像の一部である場合に、前記部分画像と前記他の部分画像との間の対応関係を示す対応情報を、前記全体画像、前記部分画像、および、前記他の部分画像と一緒に前記表示部に表示させることを特徴とする。
【００１６】
本発明の第３の技術手段は、第２の技術手段において、前記表示制御部は、前記全体画像中の領域がユーザにより選択され、該領域に対応する部分画像が前記表示部に表示されている場合に、該領域に対応する部分画像を示す対応情報を前記表示部に表示させることを特徴とする。
【００１７】
本発明の第４の技術手段は、第１〜第３のいずれか１の技術手段において、前記表示制御部は、前記ユーザからの指示を受け付けた場合に、前記全体画像および部分画像の表示位置または表示サイズを変更することを特徴とする。
【００１８】
本発明の第５の技術手段は、第１〜第４のいずれか１の技術手段において、前記表示制御部は、前記全体画像の表示指示をユーザから受け付けた場合に、該全体画像の一部に対応する前記部分画像の画像データを検索し、検索の結果得られた部分画像の画像データに基づいて、該部分画像を前記全体画像と一緒に前記表示部に表示させることを特徴とする。
【００１９】
本発明の第６の技術手段は、第１〜第５のいずれか１の技術手段において、前記表示制御部は、前記部分画像の表示指示をユーザから受け付けた場合に、該部分画像に一部が対応する前記全体画像の画像データを検索し、検索の結果得られた全体画像の画像データに基づいて、該全体画像を前記部分画像と一緒に前記表示部に表示させることを特徴とする。
【００２０】
本発明の第７の技術手段は、第６の技術手段において、前記表示制御部は、前記部分画像に一部が対応する複数の全体画像の画像データがある場合に、該複数の全体画像の画像データに基づいて、該複数の全体画像を前記表示部に表示させることを特徴とする。
【００２１】
本発明の第８の技術手段は、第６の技術手段において、前記表示制御部は、前記部分画像に一部が対応する複数の全体画像の画像データがある場合に、ユーザにより選択された全体画像の画像データに基づいて、該全体画像を前記表示部に表示させることを特徴とする。
【発明の効果】
【００２２】
本発明によれば、全体画像の画像データと全体画像の一部に対応する部分画像の画像データとの間の対応関係を示す対応データを記憶し、記憶された対応データに基づいて、全体画像の画像データと部分画像の画像データとを選択し、全体画像の画像データ、および、部分画像の画像データに基づいて、全体画像と一緒に部分画像を表示することとしたので、全体画像の一部に対応する部分画像が全部でいくつあるのか、また、他にどのような部分画像が存在するかをユーザが容易に把握できるようになる。
【００２３】
また、全体画像と一緒に部分画像を表示することにより、部分画像が全体画像のどの範囲に相当するものであるのかを容易に把握することができる。また、画像が写真である場合に、何に注目して撮影したのかという撮影者の意図を撮影者自身が容易に思い出すことができるだけでなく、撮影者以外の者もそれを容易に把握することができる。
【００２４】
さらに、撮影者以外の者が撮影者の意図を容易に把握できるようにすることにより、その撮影者の思考をより深く知ることができ、会話内容を広げたり、新たなコミュニケーションを生んだり、知識を増やすことなどができるようになる。
【図面の簡単な説明】
【００２５】
【図１】本発明の実施形態１に係る画像表示処理の一例について示す図である。
【図２】画像表示装置の構成の一例を示す図である。
【図３】対応データの一例を示す図である。
【図４】部分画像の一部に別の部分画像が対応する場合の一例について説明する図である。
【図５】部分画像が２つの全体画像の一部に対応する場合の一例について説明する図である。
【図６】全体画像および部分画像の表示画面の一例を示す図である。
【図７】部分画像の表示サイズや表示位置について説明する図である。
【図８】図３に示した対応データの生成処理の一例を示すフローチャートである。
【図９】本発明の実施形態１に係る画像表示処理の処理手順の一例を示すフローチャートである。
【図１０】図９のステップＳ２０９に示した画像処理の一例を示すフローチャートである。
【図１１】本発明の実施形態２に係る画像表示処理の一例について示す図である。
【図１２】部分画像に対応する全体画像の部分を示す対応情報について説明する図である。
【図１３】部分画像の一部に別の部分画像が対応する場合の一例について説明する図である。
【図１４】部分画像が２つの全体画像の一部に対応する場合の一例について説明する図である。
【図１５】図１２で説明した画像表示処理の一例について説明するフローチャートである。
【図１６】部分画像の表示位置や表示サイズについて説明する図である。
【発明を実施するための形態】
【００２６】
以下、本発明の実施形態について図面を参照して詳細に説明する。
【００２７】
（実施形態１）
図１は、本発明の実施形態１に係る画像表示処理の一例について示す図である。図１には、画面の所定の表示領域１内に３つの全体画像２、３、５が表示される例が示されている。全体画像２、３、５の表示はユーザの操作により切り替えられる。図１の例では、ユーザの操作により、全体画像２、全体画像３、全体画像５の順に表示がなされる。
【００２８】
また、全体画像３については、全体画像３の一部に対応する部分画像３ａ〜３ｄと、部分画像３ａ〜３ｄに対応する全体画像３の部分を示す対応情報４とが、全体画像３と一緒に表示されている。同様に、全体画像５についても、全体画像５の一部に対応する部分画像５ａと、部分画像５ａに対応する全体画像５の部分を示す対応情報４とが、全体画像５と一緒に表示されている。
【００２９】
このような表示を行うことにより、全体画像３、５の一部に対応する部分画像３ａ〜３ｄ、５ａが全部でいくつあるのか、また、他にどのような部分画像３ａ〜３ｄ、５ａが存在するかをユーザが容易に把握できるようになる。また、全体画像３、５、および、全体画像３、５と関連する部分画像３ａ〜３ｄ、５ａを一覧することができるようになる。さらに、対応情報４を表示することにより、部分画像３ａ〜３ｄ、５ａが全体画像３、５のどの領域に対応するものであるかをユーザが容易に把握できるようになる。
【００３０】
ここで、図１では、対応情報４が線である場合について説明したが、部分画像３ａ〜３ｄと、部分画像３ａ〜３ｄに対応する全体画像３の部分との間の対応関係がわかるものであれば、対応情報４は線以外のものであってもよい。また、線の種類も、図１に示すものに限定されず、部分画像３ａ〜３ｄに対応する全体画像３の部分との間の対応関係がわかるものであれば別の種類の線であってもよい。
【００３１】
また、図１には、部分画像３ａがユーザにより選択された場合に、選択された部分画像３ａが拡大表示される様子が示されている。これにより、部分画像３ａが小さくて見にくい場合でも、ユーザは部分画像３ａの細かい部分まで容易に確認することができる。
【００３２】
図２は、画像表示装置１０の構成の一例を示す図である。画像表示装置１０は、スマートフォンやタブレットＰＣ、パーソナルコンピュータなど、画像を表示可能な装置である。画像表示装置１０は、入力部１１、表示部１２、撮像部１３、通信処理部１４、記憶部１５、制御部１６を備える。
【００３３】
入力部１１は、タッチパッドやキーボードなどの入力デバイスである。表示部１２は、液晶ディスプレイなどの表示デバイスである。撮像部１３は、カメラなどの撮像デバイスである。通信処理部１４は、電話回線やネットワークを介して、他の装置と通信を行う通信デバイスである。
【００３４】
記憶部１５は、メモリやハードディスク装置などの記憶デバイスである。記憶部１５は、画像データ１５ａ、サムネイル画像データ１５ｂ、対応データ１５ｃなどを記憶する。
【００３５】
画像データ１５ａは、撮像部１３による撮像により得られた画像データである。この画像データ１５ａには、画像データが撮像された際の倍率の情報が含まれる。サムネイル画像データ１５ｂは、画像データ１５ａを縮小した画像データである。サムネイル画像データ１５ｂは、縮小した全体画像や部分画像を表示する際に用いられるデータである。対応データ１５ｃは、各画像の対応関係を示す情報を登録したデータである。
【００３６】
図３は、対応データ１５ｃの一例を示す図である。対応データ１５ｃには、全体画像情報、および、部分画像情報が登録される。全体画像情報は、全体画像の画像データの識別情報である。図３の例では、識別情報として、全体画像の画像データのファイル名（図３の１０００１８２．ｊｐｇ等）が用いられているが、これに限定されるものではない。
【００３７】
部分画像情報は、部分画像の画像データの識別情報（図３の１０００１８４．ｊｐｇ等）と、その部分画像が対応する他の画像の一部の領域の位置情報（図３の（Ｘ１Ａ，Ｙ１Ａ），（Ｘ１Ｂ，Ｙ１Ｂ）等）とを含む情報である。
【００３８】
位置情報とは、部分画像が全体画像の一部の領域に対応する場合、その領域が全体画像のどの位置にあるかを示す情報である。例えば、位置情報は、全体画像の左上の位置を原点とした２次元直交座標系において、全体画像の一部の領域に対応する部分画像の左上の位置を示す座標（図３の（Ｘ１Ａ，Ｙ１Ａ）等）、および、右下の位置を示す座標（図３の（Ｘ１Ｂ，Ｙ１Ｂ）等）で表される。
【００３９】
部分画像が他の部分画像の一部の領域に対応する場合は、位置情報とは、その領域が他の部分画像のどの位置かを示す情報となる。例えば、位置情報は、他の部分画像の左上の位置を原点とした２次元直交座標系において、他の部分画像の一部の領域に対応する部分画像の左上の位置を示す座標（図３の（Ｘ７Ａ，Ｙ７Ａ）等）、および、右下の位置を示す座標（図３の（Ｘ７Ｂ，Ｙ７Ｂ）等）で表される。
【００４０】
図３の例では、全体画像情報「１０００１８２．ｊｐｇ」には、部分画像情報が登録されていない。これは、図１の全体画像２のように、全体画像２に対応する部分画像がないことを示している。
【００４１】
また、全体画像情報「１０００１８３．ｊｐｇ」には、４つの部分画像情報「１０００１８４．ｊｐｇ，（Ｘ１Ａ，Ｙ１Ａ），（Ｘ１Ｂ，Ｙ１Ｂ）」、「１０００１８５．ｊｐｇ，（Ｘ２Ａ，Ｙ２Ａ），（Ｘ２Ｂ，Ｙ２Ｂ）」、「１０００１８６．ｊｐｇ，（Ｘ３Ａ，Ｙ３Ａ），（Ｘ３Ｂ，Ｙ３Ｂ）」、「１０００１８７．ｊｐｇ，（Ｘ４Ａ，Ｙ４Ａ），（Ｘ４Ｂ，Ｙ４Ｂ）」が登録されている。これは、図１の全体画像３のように、全体画像３に対応する４つの部分画像３ａ〜３ｄがあることを示している。全体画像情報「１０００１９１．ｊｐｇ」についても同様に、全体画像に対応する１つの部分画像があることを示している。
【００４２】
また、全体画像情報「１０００１９３．ｊｐｇ」には、２つの部分画像情報「１０００１９４．ｊｐｇ，（Ｘ６Ａ，Ｙ６Ａ），（Ｘ６Ｂ，Ｙ６Ｂ）」、「１０００１９５．ｊｐｇ，（Ｘ８Ａ，Ｙ８Ａ），（Ｘ８Ｂ，Ｙ８Ｂ）」が登録され、部分画像情報「１０００１９４．ｊｐｇ，（Ｘ６Ａ，Ｙ６Ａ），（Ｘ６Ｂ，Ｙ６Ｂ）」には、１つの部分画像情報「１０００１９５．ｊｐｇ，（Ｘ７Ａ，Ｙ７Ａ），（Ｘ７Ｂ，Ｙ７Ｂ）」が登録されている。これは、部分画像の一部に別の部分画像が対応する場合の例である。
【００４３】
図４は、部分画像の一部に別の部分画像が対応する場合の一例について説明する図である。図４には、全体画像６について、全体画像６の一部に対応する部分画像６ａ、６ｂと、部分画像６ａ、６ｂに対応する全体画像６の部分を示す対応情報４が全体画像６とともに表示されている。
【００４４】
それだけでなく、部分画像６ｂは、部分画像６ａの一部に対応するため、部分画像６ａの一部に対応する部分画像６ｂと、部分画像６ｂに対応する部分画像６ａの部分を示す対応情報４が表示される。
【００４５】
このような場合、図３に一例を示す対応データ１５ｃには、部分画像６ａの部分画像情報「１０００１９４．ｊｐｇ，（Ｘ６Ａ，Ｙ６Ａ），（Ｘ６Ｂ，Ｙ６Ｂ）」に対応付けて、部分画像６ｂの部分画像情報「１０００１９５．ｊｐｇ，（Ｘ７Ａ，Ｙ７Ａ），（Ｘ７Ｂ，Ｙ７Ｂ）」が登録される。ここで、位置情報（Ｘ７Ａ，Ｙ７Ａ），（Ｘ７Ｂ，Ｙ７Ｂ）は、上述したように、部分画像６ａの左上の位置を原点とした２次元直交座標系で表される。
【００４６】
図３の説明に戻ると、全体画像情報「１０００１９６．ｊｐｇ」には、２つの部分画像情報「１０００１９７．ｊｐｇ，（Ｘ９Ａ，Ｙ９Ａ），（Ｘ９Ｂ，Ｙ９Ｂ）」、「１０００１９８．ｊｐｇ，（Ｘ１０Ａ，Ｙ１０Ａ），（Ｘ１０Ｂ，Ｙ１０Ｂ）」が登録され、全体画像情報「１０００１９９．ｊｐｇ」にも、２つの部分画像情報「１０００１９８．ｊｐｇ，（Ｘ１１Ａ，Ｙ１１Ａ），（Ｘ１１Ｂ，Ｙ１１Ｂ）」、「１０００２００．ｊｐｇ，（Ｘ１２Ａ，Ｙ１２Ａ），（Ｘ１２Ｂ，Ｙ１２Ｂ）」が登録されている。これは、部分画像が２つの全体画像の一部に対応する場合の例である。
【００４７】
図５は、部分画像が２つの全体画像の一部に対応する場合の一例について説明する図である。図５には、全体画像７、８、全体画像７の一部に対応する部分画像７ａ、全体画像７、８の一部に対応する部分画像７ｂ、全体画像８の一部に対応する部分画像８ａ、部分画像７ａ、７ｂ、８ａに対応する全体画像７、８の部分を示す対応情報４が一緒に表示されている。
【００４８】
このように、部分画像７ｂが複数の全体画像７、８の一部に対応する場合、複数の全体画像７、８が一緒に表示される。これにより、部分画像に対応する領域を有する複数の全体画像をユーザが容易に把握できるようになる。
【００４９】
このような場合、図３に一例を示す対応データ１５ｃには、全体画像７、８の全体画像情報「１０００１９６．ｊｐｇ」、「１０００１９９．ｊｐｇ」それぞれに対して、部分画像７ｂの部分画像情報「１０００１９８．ｊｐｇ，（Ｘ１０Ａ，Ｙ１０Ａ），（Ｘ１０Ｂ，Ｙ１０Ｂ）」、「１０００１９８．ｊｐｇ，（Ｘ１１Ａ，Ｙ１１Ａ），（Ｘ１１Ｂ，Ｙ１１Ｂ）」が登録される。
【００５０】
ここで、部分画像７ｂの位置情報（Ｘ１０Ａ，Ｙ１０Ａ）と（Ｘ１１Ａ，Ｙ１１Ａ）、（Ｘ１０Ｂ，Ｙ１０Ｂ）と（Ｘ１１Ｂ，Ｙ１１Ｂ）が異なるのは、位置情報（Ｘ１０Ａ，Ｙ１０Ａ）、（Ｘ１０Ｂ，Ｙ１０Ｂ）が全体画像７の左上の位置を原点とした２次元直交座標系で表されており、位置情報（Ｘ１１Ａ，Ｙ１１Ａ）、（Ｘ１１Ｂ，Ｙ１１Ｂ）が全体画像８の左上の位置を原点とした２次元直交座標系で表されているためである。
【００５１】
なお、ここでは、部分画像７ｂが複数の全体画像７、８の一部に対応する場合に、複数の全体画像７、８を一緒に表示することとしたが、全体画像７、８を一緒に表示する代わりに、表示する全体画像の指定をユーザから受け付け、指定された全体画像のみ表示することとしてもよい。
【００５２】
この場合、部分画像７ｂが対応する全体画像７、８が複数ある旨のメッセージが表示され、ユーザはそのメッセージに応じて全体画像の選択を行う。このように、不要な全体画像を表示させないことにより、ユーザが見たい全体画像について、全体画像と部分画像との間の対応関係をユーザが容易に把握できるようになる。
【００５３】
図２の説明に戻ると、制御部１６は、画像表示装置１０の各機能を制御するＣＰＵ（Ｃｅｎｔｒａｌ  Ｐｒｏｃｅｓｓｉｎｇ  Ｕｎｉｔ）などの制御デバイスである。制御部１６は、画像データ管理部１６ａ、対応データ生成部１６ｂ、表示制御部１６ｃを備える。
【００５４】
画像データ管理部１６ａは、撮像部１３による撮像の結果得られた画像データ、および、その画像データが撮像された際の倍率の情報を記憶部１５に記憶したり、記憶部１５に記憶した画像データのサムネイル画像のデータを生成したりする処理部である。
【００５５】
対応データ生成部１６ｂは、図３で説明した対応データ１５ｃを生成する処理部である。対応データ生成部１６ｂは、全体画像の一部に対応する部分画像、および、部分画像の一部に対応する部分画像を検出し、その検出結果に基づいて対応データ１５ｃを生成する。この対応データ１５ｃの生成処理については後に詳しく説明する。
【００５６】
表示制御部１６ｃは、表示部１２における表示処理を制御する処理部である。表示制御部１６ｃは、全体画像の一部に対応する部分画像や、部分画像の一部に対応する部分画像がある場合、部分画像が対応する全体画像の領域や部分画像が対応する部分画像の部分を示す対応情報４を、全体画像や部分画像と一緒に表示部１２に表示させる。
【００５７】
また、表示制御部１６ｃは、図１で説明したように、全体画像３や部分画像３ａ〜３ｄが入力部１１を介してユーザにより指定された場合に、指定された部分画像を表示部１２に拡大表示させる。
【００５８】
さらに、表示制御部１６ｃは、入力部１１を介して全体画像の表示指示をユーザから受け付けた場合に、対応データ１５ｃを用いて、その全体画像の一部に対応する部分画像を検索し、検索の結果得られた部分画像を、全体画像や対応情報４とともに表示部１２に表示させる。
【００５９】
図１を用いて説明すると、全体画像３や部分画像３ａ〜３ｄが表示されていない状態で、全体画像３の表示指示をユーザから受け付けた場合、表示制御部１６ｃは、その全体画像３の一部に対応する部分画像３ａ〜３ｄを検索し、検索の結果得られた部分画像３ａ〜３ｄを、全体画像３や対応情報４とともに表示部１２に表示させる。これにより、全体画像の一部に対応する部分画像を容易に抽出し、それらを一覧することができるようになる。
【００６０】
また、表示制御部１６ｃは、入力部１１を介して部分画像の表示指示をユーザから受け付けた場合に、対応データ１５ｃを用いて、その部分画像に一部が対応する全体画像、および、その全体画像の一部に対応する他の部分画像を検索し、検索の結果得られた全体画像および他の部分画像を、表示指示を受け付けた部分画像や対応情報４とともに表示部１２に表示させる。
【００６１】
図１を用いて説明すると、全体画像３や部分画像３ａ〜３ｄが表示されていない状態で、例えば、部分画像３ａの表示指示をユーザから受け付けた場合、表示制御部１６ｃは、その部分画像３ａに一部が対応する全体画像３、および、その全体画像３の一部に対応する他の部分画像３ｂ〜３ｄを検索し、検索の結果得られた全体画像３および他の部分画像３ｂ〜３ｄを、表示指示を受け付けた部分画像３ａや対応情報４とともに表示部１２に表示させる。これにより、部分画像に一部が対応する全体画像、および、その全体画像の一部に対応する他の部分画像を容易に抽出し、それらを一覧することができるようになる。
【００６２】
図６は、全体画像および部分画像の表示画面の一例を示す図である。図６（Ａ）には、全体画像および部分画像を表示する表示領域１を表示部１２の画面９の一部に表示する場合の例が示されている。この状態において、表示する全体画像の切り替え指示をユーザから受け付けた場合、表示制御部１６ｃは、図１で説明したように、つぎに表示される全体画像を表示部１２に表示させる。
【００６３】
また、図６（Ｂ）には、全体画像や部分画像を表示する表示領域１が３つある場合の例が示されている。表示領域の数や大きさは、入力部１１を介してユーザにより適宜設定され、表示制御部１６ｃは、その設定に応じて表示部１２に表示領域１を表示させる。
【００６４】
また、全体画像や部分画像の表示サイズや表示位置は、予め設定しておくこととしてもよいし、所定の条件に応じて変化させることとしてもよいし、ランダムに設定することとしてもよい。
【００６５】
図７は、部分画像の表示サイズや表示位置について説明する図である。図７（Ａ）〜（Ｃ）では、部分画像３ａ〜３ｄの表示サイズや表示位置が異なっている。例えば、表示制御部１６ｃは、表示部１２に、撮影日時が現時点に近い部分画像ほど大きく表示させたり、撮影順序が後の部分画像ほど大きく表示させたり、図１の部分画像３ａのように、拡大表示して閲覧された回数が多い部分画像ほど大きく表示させたりしてもよい。この場合、撮影日時、撮影順序、拡大表示して閲覧された回数の情報は、記憶部１５に記憶されているものとする。
【００６６】
また、表示制御部１６ｃは、全体画像３や部分画像３ａ〜３ｄの表示位置や表示サイズの変更指示を入力部１１を介してユーザから受け付けた場合に、その変更指示に応じて表示位置や表示サイズを変更することとしてもよい。
【００６７】
また、表示制御部１６ｃは、図５に示したように、部分画像７ｂに対応する領域を有する複数の全体画像７、８があり、入力部１１を介してユーザによりいずれかの全体画像が指定された場合に、指定された全体画像と、その全体画像の一部に対応する部分画像のみを表示部１２に表示させることとしてもよい。
【００６８】
つぎに、図３に示した対応データ１５ｃの生成処理の一例について説明する。図８は、図３に示した対応データ１５ｃの生成処理の一例を示すフローチャートである。この生成処理は、撮像部１３により撮像される度に行われる処理である。以下では、複数の画像が撮像された後に、引き続き画像Ｘが撮像された場合について説明する。
【００６９】
まず、画像表示装置１０の対応データ生成部１６ｂは、記憶部１５に記憶された画像データ１５ａの中から、画像Ｙを選択する（ステップＳ１０１）。ここで、画像Ｙは、画像Ｘよりも前に撮像された画像である。そして、対応データ生成部１６ｂは、画像Ｙが画像Ｘよりも高倍率で撮像されたものか否かを判定する（ステップＳ１０２）。
【００７０】
画像Ｙが画像Ｘよりも高倍率で撮像されたものである場合（ステップＳ１０２においてＹＥＳの場合）、対応データ生成部１６ｂは、画像Ｘの一部と画像Ｙが一致するか否かを判定する（ステップＳ１０２）。
【００７１】
具体的には、対応データ生成部１６ｂは、画像Ｙの倍率の情報を用いて画像Ｙを縮小し、その縮小画像と画像Ｘの各領域との間で輝度値の相関を算出する。この相関は、例えば、２つの画像における輝度値の差の絶対値の和により表される。そして、その和が所定値以下である場合に、対応データ生成部１６ｂは、画像Ｘの一部と画像Ｙが一致すると判定する。なお、この一致判定の方法はこれに限定されず、他の方法を用いることとしてもよい。
【００７２】
画像Ｘの一部と画像Ｙが一致する場合（ステップＳ１０３においてＹＥＳの場合）、対応データ生成部１６ｂは、画像Ｙを画像Ｘの部分画像として設定する（ステップＳ１０４）。
【００７３】
さらに、対応データ生成部１６ｂは、部分画像である画像Ｙの位置情報を設定する（ステップＳ１０５）。例えば、対応データ生成部１６ｂは、画像Ｘの左上の位置を原点とした２次元直交座標系において、画像Ｙに対応する画像Ｘの領域の左上の位置の座標および右下の位置の座標を、部分画像である画像Ｙの位置情報として設定する。
【００７４】
ステップＳ１０２において、画像Ｙが画像Ｘよりも高倍率で撮像されたものでない場合（ステップＳ１０２においてＮＯの場合）、対応データ生成部１６ｂは、画像Ｙの一部と画像Ｘが一致するか否かを判定する（ステップＳ１０６）。
【００７５】
具体的には、対応データ生成部１６ｂは、画像Ｘの倍率の情報を用いて画像Ｘを縮小し、その縮小画像と画像Ｙの各領域との間で輝度値の相関を算出する。そして、その和が所定値以下である場合に、対応データ生成部１６ｂは、画像Ｙの一部と画像Ｘが一致すると判定する。
【００７６】
画像Ｙの一部と画像Ｘが一致する場合（ステップＳ１０６においてＹＥＳの場合）、対応データ生成部１６ｂは、画像Ｘを画像Ｙの部分画像として設定する（ステップＳ１０７）。
【００７７】
さらに、対応データ生成部１６ｂは、部分画像である画像Ｘの位置情報を設定する（ステップＳ１０５）。例えば、対応データ生成部１６ｂは、画像Ｙの左上の位置を原点とした２次元直交座標系において、画像Ｘに対応する画像Ｙの領域の左上の位置の座標および右下の位置の座標を、部分画像である画像Ｘの位置情報として設定する。
【００７８】
ステップＳ１０５の処理の後、または、ステップＳ１０６において、画像Ｙの一部と画像Ｘが一致しない場合（ステップＳ１０６においてＮＯの場合）、対応データ生成部１６ｂは、画像データのすべての組み合わせが選択されたか否かを判定する（ステップＳ１０８）。
【００７９】
画像データのすべての組み合わせが選択されていない場合（ステップＳ１０８においてＮＯの場合）、ステップＳ１０１に移行して、新たな画像Ｙが選択される。画像データのすべての組み合わせが選択された場合（ステップＳ１０８においてＹＥＳの場合）、対応データ生成部１６ｂは、部分画像でない画像を全体画像として設定する（ステップＳ１０９）。
【００８０】
その後、対応データ生成部１６ｂは、設定した情報を対応データ１５ｃに登録し（ステップＳ１１０）、この対応データ１５ｃの生成処理は終了する。
【００８１】
なお、図８では、倍率を変えて複数の画像を撮像した場合の対応データ１５ｃの生成方法について説明したが、撮影者が被写体に近づいて撮影した場合に、部分画像と対応する全体画像、あるいは、部分画像に対応する部分画像の情報の入力を撮影者等から受け付け、その情報に基づいて、対応データ１５ｃを生成することとしてもよい。
【００８２】
つぎに、本発明の実施形態１に係る画像表示処理の処理手順の一例について説明する。図９は、本発明の実施形態１に係る画像表示処理の処理手順の一例を示すフローチャートである。
【００８３】
まず、画像表示装置１０の表示制御部１６ｃは、入力部１１を介してユーザから表示する画像の選択を受け付ける（ステップＳ２０１）。ここで表示制御部１６ｃが選択を受け付ける画像には、全体画像や部分画像が含まれる。
【００８４】
そして、表示制御部１６ｃは、対応データ１５ｃに基づいて、選択を受け付けた画像に対応する対応画像を検索する（ステップＳ２０２）。対応画像とは、対応データ１５ｃにおいて、選択を受け付けた画像に対応付けて登録されている全体画像または部分画像のことである。
【００８５】
続いて、表示制御部１６ｃは、対応画像があったか否かを判定する（ステップＳ２０３）。対応画像がなかった場合（ステップＳ２０３においてＮＯの場合）、表示制御部１６ｃは、ステップＳ２０１において選択を受け付けた画像のみを表示する（ステップＳ２０７）。
【００８６】
ステップＳ２０３において、対応画像があった場合（ステップＳ２０３においてＹＥＳの場合）、表示制御部１６ｃは、図５に示した部分画像７ｂに対応する全体画像７、８のように、部分画像に対応する複数の全体画像が検索されたか否かを判定する（ステップＳ２０４）。
【００８７】
複数の全体画像が検索されなかった場合（ステップＳ２０４においてＮＯの場合）、表示制御部１６ｃは、ステップＳ２０１で選択を受け付けた画像と対応画像とを表示部１２に一緒に表示させる（ステップＳ２０６）。
【００８８】
複数の全体画像が検索された場合（ステップＳ２０４においてＹＥＳの場合）、表示制御部１６ｃは、図５に示したような画面表示において、複数の全体画像の中から、最終的に表示したいいずれかの全体画像の指定を受け付ける（ステップＳ２０５）。
【００８９】
その後、ステップＳ２０６に移行して、表示制御部１６ｃは、ステップＳ２０１で選択を受け付けた画像と対応画像とを表示部１２に一緒に表示させる（ステップＳ２０６）。なお、全体画像については、ステップＳ２０５で指定を受け付けた全体画像のみが表示される。
【００９０】
ステップＳ２０６、または、ステップＳ２０７の処理の後、表示制御部１６ｃは、入力部１１を介して、表示された画像に対する操作をユーザから受け付けたか否かを判定する（ステップＳ２０８）。
【００９１】
画像に対する操作をユーザから受け付けた場合（ステップＳ２０８においてＹＥＳの場合）、表示制御部１６ｃは、その操作に応じた画像処理を実行する（ステップＳ２０９）。この画像処理については後に詳しく説明する。
【００９２】
画像に対する操作をユーザから受け付けていない場合（ステップＳ２０８においてＮＯの場合）、または、ステップＳ２０９の処理の後、表示制御部１６ｃは、入力部１１を介して、この画像表示処理の終了指示をユーザから受け付けたか否かを判定する（ステップＳ２１０）。
【００９３】
画像表示処理の終了指示を受け付けていない場合（ステップＳ２１０においてＮＯの場合）、ステップＳ２０８に移行して、それ以後の処理を継続する。画像表示処理の終了指示を受け付けた場合（ステップＳ２１０においてＹＥＳの場合）、この画像表示処理はそのまま終了する。
【００９４】
つぎに、図９のステップＳ２０９に示した画像処理の一例について説明する。図１０は、図９のステップＳ２０９に示した画像処理の一例を示すフローチャートである。
【００９５】
まず、画像表示装置１０の表示制御部１６ｃは、入力部１１を介してユーザによりなされた操作の種類を判定する（ステップＳ３０１）。
【００９６】
そして、その種類が画像の移動であった場合、表示制御部１６ｃは、ユーザにより指定された画像の移動後の位置の情報を記憶部１５に記憶し（ステップＳ３０２）、指定された位置にその画像を表示する処理を表示部１２に実行させる（ステップＳ３０３）。そして、この画像処理は終了する。
【００９７】
ステップＳ３０１において、ユーザによりなされた操作の種類が画像の拡大または縮小であった場合、表示制御部１６ｃは、ユーザにより指定された画像の拡大率または縮小率の情報を記憶部１５に記憶し（ステップＳ３０４）、その画像を指定された拡大率または縮小率で表示する処理を表示部１２に実行させる（ステップＳ３０５）。そして、この画像処理は終了する。
【００９８】
ステップＳ３０１において、ユーザによりなされた操作の種類が画像の全体表示であった場合、表示制御部１６ｃは、ユーザにより指定された画像の元データを記憶部１５から読み出し（ステップＳ３０６）、その画像を表示部１２に画面全体に表示させる（ステップＳ３０７）。そして、この画像処理は終了する。
【００９９】
（実施形態２）
以下に本発明の実施形態２について説明する。上記実施形態１では、図１等に示すようにして全体画像および部分画像を表示することとしたが、それらの表示方法はこれに限定されるものではなく、本実施形態２で説明するように他の表示方法を採用することとしてもよい。図１１は、本発明の実施形態２に係る画像表示処理の一例について示す図である。
【０１００】
図１と同様に、この表示例でも、画像の所定の表示領域１内に全体画像３と、全体画像３の一部に対応する部分画像３ａ〜３ｄが一緒に表示される。ただし、この表示例では、図１のような対応情報４は表示されず、その代わりに、入力部１１を介して部分画像３ａ〜３ｄをユーザが指定すると、指定された部分画像３ａ〜３ｄに対応する全体画像３の部分を示す対応情報が全体画像３に表示される。
【０１０１】
図１２は、部分画像３ａ〜３ｄに対応する全体画像３の部分を示す対応情報４について説明する図である。図１２（Ａ）に示すように、例えば、ユーザにより部分画像３ｃが指定された場合、部分画像３ｃに対応する全体画像３の部分が対応情報４により示される。これにより、部分画像３ａ〜３ｄが全体画像３のどの領域に対応するものであるかをユーザが容易に把握できるようになる。
【０１０２】
そして、ユーザが部分画像３ｃを再度指定すると、図１２（Ｂ）、図１２（Ｃ）に示すように、部分画像３ｃに対応する全体画像３の領域が徐々に大きくなって、部分画像３ｃが拡大表示される。また、この拡大表示処理が完了すると、初めに部分画像３ｃが表示されていた領域に全体画像３が表示される。その後、全体画像３がユーザにより指定されると、図１２（Ａ）に示すような全体画像３の表示画面に戻ることになる。
【０１０３】
なお、本実施形態２に係る画像表示装置１０の構成は、図２に示した画像表示装置１０と同様のものである。ただし、表示制御部１６ｃの行う処理が図２に示した画像表示装置１０とは異なるため、以下にそれについて説明する。
【０１０４】
実施形態２に係る表示制御部１６ｃは、表示部１２における表示処理を制御する処理部である。具体的には、表示制御部１６ｃは、図１１を用いて説明したように、全体画像３の一部に対応する部分画像３ａ〜３ｄがある場合に、全体画像３と部分画像３ａ〜３ｄとを表示部１２に一緒に表示させる。
【０１０５】
また、表示制御部１６ｃは、図１２を用いて説明したように、部分画像３ａ〜３ｄがユーザにより指定された場合に、その部分画像３ａ〜３ｄに対応する全体画像３の部分に対応情報４を表示する処理を表示部１２に実行させる。
【０１０６】
そして、ユーザが部分画像３ａ〜３ｄを再度指定した場合、図１２（Ｂ）、図１２（Ｃ）で説明したように、表示制御部１６ｃは、指定された部分画像３ａ〜３ｄに対応する全体画像３の領域が徐々に大きくし、指定された部分画像３ａ〜３ｄが拡大表示する表示処理を表示部１２に実行させる。
【０１０７】
また、表示制御部１６ｃは、この拡大表示処理が完了した場合に、指定された部分画像３ａ〜３ｄが表示されていた領域に全体画像３を表示する表示処理を表示部１２に実行させる。その後、表示制御部１６ｃは、全体画像３がユーザにより指定された場合、図１２（Ａ）に示すような全体画像３を表示部１２に再度表示させる。
【０１０８】
また、本実施形態２においても、図４、図５と同様の表示を行うことが可能である。図１３は、部分画像の一部に別の部分画像が対応する場合の一例について説明する図である。
【０１０９】
図１３では、表示領域１内に、全体画像６と、全体画像６の一部に対応する部分画像６ａ、６ｂとが一緒に表示されている。ここで、部分画像６ｂは、全体画像６の一部に対応するだけでなく、部分画像６ａの一部にも対応する画像である。
【０１１０】
この場合、部分画像６ｂがユーザにより指定されると、表示制御部１６ｃは、部分画像６ｂに対応する全体画像６の部分を示す対応情報４を表示部１２に表示させる。さらに、表示制御部１６ｃは、部分画像６ｂに対応する部分画像６ａの部分を示す対応情報４を表示部１２に表示させる。
【０１１１】
また、図１４は、部分画像が２つの全体画像の一部に対応する場合の一例について説明する図である。図１４では、表示領域１内に、全体画像７、８と、全体画像７の一部に対応する部分画像７ａ、７ｂと、全体画像８の一部に対応する部分画像７ａ、８ａとが一緒に表示されている。ここで、部分画像７ｂは、２つの全体画像７、８の一部に対応する画像である。
【０１１２】
この場合、部分画像７ｂがユーザにより指定されると、表示制御部１６ｃは、部分画像７ｂに対応する全体画像７の部分を示す対応情報４と、部分画像７ｂに対応する全体画像８の部分を示す対応情報４とを表示部１２に表示させる。
【０１１３】
その後、表示制御部１６ｃは、入力部１１を介してユーザにより全体画像７、８のいずれかが指定された場合に、指定された全体画像と、その全体画像の一部に対応する部分画像のみを表示部１２に表示させる。
【０１１４】
なお、図１２、図１３、図１４では、表示制御部１６ｃは、部分画像がユーザにより指定された場合に、その部分画像に対応する全体画像の領域、または、その部分画像に対応する他の部分画像の領域を示す対応情報を表示部１２に表示させることとしたが、上記全体画像の領域、または、上記他の部分画像の領域がユーザにより指定された場合に、全体画像の領域、または、他の部分画像の領域に対応する部分画像を示す対応情報を表示することとしてもよい。
【０１１５】
図１２を用いて説明すると、例えば、全体画像３の対応情報４内の領域がユーザにより指定された場合に、表示制御部１６ｃは、その領域に対応する部分画像３ｃを示す対応情報を表示部１２に表示させる。この対応情報は、部分画像３ｃを囲む枠であってもよいし、矢印であってもよい。これにより、全体画像の一部の領域に対応する部分画像をユーザが容易に把握することができる。
【０１１６】
つぎに、図１２で説明した画像表示処理について詳しく説明する。図１５は、図１２で説明した画像表示処理の一例について説明するフローチャートである。
【０１１７】
まず、画像表示装置１０の表示制御部１６ｃは、入力部１１を介してユーザにより部分画像が指定されたか否かを判定する（ステップＳ４０１）。部分画像が指定されていない場合（ステップＳ４０１においてＮＯの場合）、表示制御部１６ｃは、入力部１１を介して、この画像表示処理の終了指示をユーザから受け付けたか否かを判定する（ステップＳ４０２）。
【０１１８】
画像表示処理の終了指示を受け付けた場合（ステップＳ４０２においてＹＥＳの場合）、そのままこの画像表示処理は終了する。画像表示処理の終了指示を受け付けていない場合（ステップＳ４０２においてＮＯの場合）、ステップＳ４０１の判定処理を繰り返す。
【０１１９】
ステップＳ４０１において、ユーザにより部分画像が指定された場合（ステップＳ４０１においてＹＥＳの場合）、表示制御部１６ｃは、図１２、図１３、図１４で説明したように、指定された部分画像に対応する全体画像または部分画像の部分に対応情報４を表示する処理を表示部１２に実行させる（ステップＳ４０３）。
【０１２０】
その後、表示制御部１６ｃは、ステップＳ４０１で指定された部分画像が再度ユーザにより指定されたか否かを判定する（ステップＳ４０４）。ステップＳ４０１で指定された部分画像が再度ユーザにより指定されなかった場合（ステップＳ４０４においてＮＯの場合）、ステップＳ４０１以降の処理が再度実行される。
【０１２１】
ステップＳ４０１で指定された部分画像が再度ユーザにより指定された場合（ステップＳ４０４においてＹＥＳの場合）、表示制御部１６ｃは、図１２（Ｂ）、図１２（Ｃ）で説明したように、その部分画像を表示部１２に拡大表示させる（ステップＳ４０５）。また、表示制御部１６ｃは、図１２（Ｃ）で説明したように、それまで大きく表示されていた全体画像を表示部１２に縮小表示させる（ステップＳ４０６）。
【０１２２】
その後、表示制御部１６ｃは、図１２（Ｃ）のように縮小表示された全体画像が、ユーザにより指定されたか否かを判定する（ステップＳ４０７）。全体画像がユーザにより指定された場合（ステップＳ４０７においてＹＥＳの場合）、表示制御部１６ｃは、図１２（Ａ）のように全体画像を表示部１２に拡大表示させる（ステップＳ４０８）。
【０１２３】
さらに、表示制御部１６ｃは、図１２（Ａ）のようにそれまで拡大表示されていた部分画像を表示部１２に縮小表示させる（ステップＳ４０９）。その後、ステップＳ４０１以降の処理が継続される。
【０１２４】
ステップＳ４０７において、縮小表示された全体画像がユーザにより指定されなかった場合（ステップＳ４０７においてＮＯの場合）、表示制御部１６ｃは、拡大表示された部分画像以外の他の部分画像（例えば、図１２（Ｃ）の例における部分画像３ａ、３ｂ、３ｄ）が、ユーザにより指定されたか否かを判定する（ステップＳ４１０）。
【０１２５】
他の部分画像がユーザにより指定された場合（ステップＳ４１０においてＹＥＳの場合）、表示制御部１６ｃは、指定された他の部分画像を表示部１２に拡大表示させる（ステップＳ４１１）。また、表示制御部１６ｃは、それまで拡大表示されていた部分画像を表示部１２に縮小表示させる（ステップＳ４１２）。その後、ステップＳ４０７以降の処理が継続される。
【０１２６】
他の部分画像がユーザにより指定されなかった場合（ステップＳ４１０においてＮＯの場合）、表示制御部１６ｃは、入力部１１を介して、この画像表示処理の終了指示をユーザから受け付けたか否かを判定する（ステップＳ４１３）。
【０１２７】
画像表示処理の終了指示を受け付けた場合（ステップＳ４１３においてＹＥＳの場合）、そのままこの画像表示処理は終了する。画像表示処理の終了指示を受け付けていない場合（ステップＳ４１３においてＮＯの場合）、ステップＳ４０７以降の処理が実行される。
【０１２８】
なお、上記実施形態２では、図１１に示したように、全体画像３の下部に部分画像３ａ〜３ｄを同じサイズで表示することとしたが、部分画像の３ａ〜３ｄの表示位置や表示サイズはこれに限定されるものではない。
【０１２９】
図１６は、部分画像の表示位置や表示サイズについて説明する図である。図１６（Ａ）〜（Ｃ）では、部分画像３ａ〜３ｄの表示サイズや表示位置が異なっている。例えば、表示制御部１６ｃは、表示部１２に、撮影日時が現時点に近い部分画像ほど大きく表示させたり、撮影順序が後の部分画像ほど大きく表示させたり、拡大表示して閲覧された回数が多い部分画像ほど大きく表示させたりしてもよい。この場合、撮影日時、撮影順序、拡大表示して閲覧された回数の情報は、記憶部１５に記憶されているものとする。
【０１３０】
また、表示制御部１６ｃは、全体画像３や部分画像３ａ〜３ｄの表示位置や表示サイズの変更指示を入力部１１を介してユーザから受け付けた場合に、その変更指示に応じて表示位置や表示サイズを変更することとしてもよい。
【０１３１】
さて、これまで画像表示装置および画像表示方法の実施形態を中心に説明を行ったが、本発明はこれらの実施形態に限定されるものではなく、画像表示装置の機能を実現するためのコンピュータプログラムとしての形態、あるいは、当該コンピュータプログラムが記録されたコンピュータ読み取り可能な記録媒体の形態として本発明が実施されることとしてもよい。
【０１３２】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【０１３３】
これら記録媒体に上記実施形態における画像表示装置の機能を実現させるコンピュータプログラム、または、画像表示方法をコンピュータに実行させるコンピュータプログラムを記録して流通させることにより、コストの低廉化、及び可搬性や汎用性を向上させることができる。
【０１３４】
そして、コンピュータに上記記録媒体を装着し、コンピュータにより記録媒体に記録されたコンピュータプログラムを読み出してメモリに格納し、コンピュータが備えるプロセッサ（CPU：Central Processing Unit、MPU：Micro Processing Unit）が当該コンピュータプログラムをメモリから読み出して実行することにより、本実施形態に係る画像表示装置の機能を実現し、画像表示方法を実行することができる。
【０１３５】
また、本発明は上述した実施形態に限定されず、本発明の要旨を逸脱しない範囲内で各種の変形、修正が可能である。
【符号の説明】
【０１３６】
１…表示領域、２，３，５，６，７，８…全体画像、３ａ〜３ｄ，５ａ，６ａ，６ｂ，７ａ，７ｂ，８ａ…部分画像、４…対応情報、９…画面、１０…画像表示装置、１１…入力部、１２…表示部、１３…撮像部、１４…通信処理部、１５…記憶部、１５ａ…画像データ、１５ｂ…サムネイル画像データ、１５ｃ…対応データ、１６…制御部、１６ａ…画像データ管理部、１６ｂ…対応データ生成部、１６ｃ…表示制御部。
【図２】
0005886662.tif 000002
【図３】
0005886662.tif 000003
【図８】
0005886662.tif 000004
【図９】
0005886662.tif 000005
【図１０】
0005886662.tif 000006
【図１５】
0005886662.tif 000007
【図１】
0005886662.tif 000008
【図４】
0005886662.tif 000009
【図５】
0005886662.tif 000010
【図６】
0005886662.tif 000011
【図７】
0005886662.tif 000012
【図１１】
0005886662.tif 000013
【図１２】
0005886662.tif 000014
【図１３】
0005886662.tif 000015
【図１４】
0005886662.tif 000016
【図１６】
0005886662.tif 000017